(57)【要約】 【課題】  薬液を、浴槽又は貯湯槽に、殺菌能率が良好であるように好適に投入でき、浴槽湯の薬液濃度を確実に設定できる殺菌式入浴装置を提供すること。【解決手段】  【請求項１】入浴装置２４は、少なくとも浴槽２と入浴装置２４へ湯を供給する給湯部５２を有するものであって、更に、薬液を投入する管路６と、薬液投入器３５と、総量測定器３４と、投入制御器３６と、湯の総量を記憶する記憶器３８と、濃度設定器３９とを付加設置するものであり、前記総量測定器３４は、薬液投入対象の湯の総量を測定するものであり、投入制御器３６は、記憶器３８の出力と、濃度設定器３９の出力とを得てこれらの出力に基づき薬液量を算出し、算出値を投入する薬液量と決め、前記供給の後に前記決めた量の薬液を投入する殺菌式入浴装置である。【選択図】  図１
2010069247.tif 000002
【特許請求の範囲】
【請求項１】
入浴装置２４は、少なくとも浴槽２と入浴装置２４へ湯を供給する給湯部５２を有するものであって、更に、薬液を投入する管路６と、薬液投入器３５と、総量測定器３４と、投入制御器３６と、湯の総量を記憶する記憶器３８と、濃度設定器３９とを付加設置するものであり、
前記総量測定器３４は、薬液投入対象の湯の総量を測定するものであり、
投入制御器３６は、記憶器３８の出力と、濃度設定器３９の出力とを得てこれらの出力に基づき薬液量を算出し、算出値を投入する薬液量と決め、前記供給の後に前記決めた量の薬液を投入する殺菌式入浴装置。
【請求項２】
入浴装置２４は、浴槽２と、貯湯槽３と、循環機構４とを有し、
循環機構４は、浴槽２から貯湯槽３へ又は貯湯槽３から浴槽２へ、湯を循環供給するものであり、
投入制御器３６は、前記循環供給する際又は供給した後に、循環機構４又は貯湯槽３へ薬液を投入するものである請求項１記載の殺菌式入浴装置。
【請求項３】
浴槽２又は貯湯槽３へ供給した湯の総量を量る総量測定器３４を、流量計１３と、排水流量計４３と、流量計１３の測定値から排水流量計４３の測定値を減算する計算器５１とから構成し、又は、前記総量測定器３４を、貯湯槽３へ設けたセンサースイッチ３１で構成し、
投入制御器３６は、湯の総量と設定値とから薬液量を算出し、薬液投入器３５を作動し、前記算出した薬液量を浴槽２又は貯湯槽３へ投入する請求項１乃至２記載の殺菌式入浴装置。
【請求項４】
濃度設定器３９は、貯湯槽３の貯湯の薬液濃度を、濃度０を含む所定の複数個の濃度のうちから1つを任意に選択・設定する切り替えスイッチ４１であり、
投入制御器３６は、切り替えスイッチ４１の指示を得て前記選択した１つに対応した比率の量の薬液を貯湯槽３へ投入する請求項１乃至３記載の殺菌式入浴装置。
【発明の詳細な説明】
【技術分野】
【０００１】
本発明は、身体障害者及び高齢者（以下、要介護者）、特に要介護度の低い要介護者の自立入浴を可能とした殺菌式入浴装置に関するものである。
【背景技術】
【０００２】
従来装置の特許文献１のものは、貯湯槽の湯を、循環、殺菌するものである。
貯湯槽の湯が循環移動する管路にフィルターが設けられており、該フィルターの前段に薬剤供給装置が設けられている。
【特許文献１】特開２００３−７０８６８号公報
【発明の開示】
【発明が解決しようとする課題】
【０００３】
特許文献１に記載された構成では、貯湯槽への薬液の投入は、湯の循環供給と共に行なうものである。投入する薬液の量の設定が難しく、又、投入時期も湯の循環供給時に限定され殺菌能率が必ずしも良好ではないものである。
【０００４】
本発明は、これらの諸問題点を解決すべくなされたものであってその目的は、薬液を、浴槽又は貯湯槽に殺菌能率が良好であるように好適に投入でき、浴槽湯の薬液濃度を良好に設定できる殺菌式入浴装置を提供するものである。
【課題を解決するための手段】
【０００５】
上記目的を実現する本発明に係る入浴装置２４は、少なくとも浴槽２と入浴装置２４へ湯を供給する給湯部５２を有するものであって、更に、薬液を投入する管路６と、薬液投入器３５と、総量測定器３４と、投入制御器３６と、湯の総量を記憶する記憶器３８と、濃度設定器３９とを付加設置するものであり、前記総量測定器３４は、薬液投入対象の湯の総量を測定するものであり、投入制御器３６は、記憶器３８の出力と、濃度設定器３９の出力とを得てこれらの出力に基づき薬液量を算出し、算出値を投入する薬液量と決め、前記供給の後に前記決めた量の薬液を投入する殺菌式入浴装置である。
又、入浴装置２４は、浴槽２と、貯湯槽３と、循環機構４とを有し、循環機構４は、浴槽２から貯湯槽３へ又は貯湯槽３から浴槽２へ、湯を循環供給するものであり、投入制御器３６は、前記循環供給する際又は供給した後に、循環機構４又は貯湯槽３へ薬液を投入するものである。
更に、浴槽２又は貯湯槽３へ供給した湯の総量を量る総量測定器３４を、流量計１３と、排水流量計４３と、流量計１３の測定値から排水流量計４３の測定値を減算する計算器５１とから構成し、又は、前記総量測定器３４を、貯湯槽３へ設けたセンサースイッチ３１で構成し、投入制御器３６は、湯の総量と設定値とから薬液量を算出し、薬液投入器３５を作動し、前記算出した薬液量を浴槽２又は貯湯槽３へ投入する。
更に又、濃度設定器３９は、貯湯槽３の貯湯の薬液濃度を、濃度０を含む所定の複数個の濃度のうちから1つを任意に選択・設定する切り替えスイッチ４１であり、投入制御器３６は、切り替えスイッチ４１の指示を得て前記選択した１つに対応した比率の量の薬液を貯湯槽３へ投入する。
【発明の効果】
【０００６】
本発明は、入浴装置２４へ湯を供給しその供給した湯量に応じて薬液投入量を決め、前記湯を供給した後に、循環機構４を用いて浴槽２又は貯湯槽３へ前記決めた量の薬液を投入するものであって、薬液を湯の供給と同時に入れるものではないから、薬液は、湯総量に見合った好適量投入すればよく、過剰投入を防げ、経済的であり、又、薬液被害も起きず、安全であり、又、投入不足もなく、殺菌効果が十分得られ、好都合である。
又、薬液の投入時期も、給湯とは別に薬液だけを投入するので、好適時に投入すればよいので、自由度が高く、好都合である。
従来技術のように、給湯と同時に薬液を入れると、貯湯の待機時間中に薬剤が揮発して、入浴時には殺菌能力が弱くなるということが起こるが、本発明では、入浴の直前に薬剤を投入することによって薬液の殺菌能率が高めることができ効果的であり、好都合である。
【０００７】
又、本発明は、浴槽２から貯湯槽３へ又は貯湯槽３から浴槽２へ、湯を循環供給した後に、薬液投入器３５から貯湯槽３へ薬液を投入し、その湯を浴槽２へ循環移動し、浴槽２で入浴するものであるから、薬液は攪拌されその濃度は均等になっており、要介護者に不均一に濃い濃度の湯を提供することはなく、薬液による要介護者への悪影響は起きず、浴槽２に適切に殺菌が行なわれた良好な湯を提供でき、好都合である。
【０００８】
又、本発明に係る浴槽２又は貯湯槽３へ供給した湯の総量を量る総量測定器３４を、流量計１３と、排水流量計４３と、流量計１３の測定値から排水流量計４３の測定値を減算する計算器５１とから構成し、投入制御器３６は、前記総量を記憶する記憶器３８の出力と、介護者が予め薬液濃度を設定する濃度設定器３９の出力とを得て、これらの出力に基づき薬液量を算出し、算出された薬液量を、薬液ポンプ４０を駆動して貯湯槽３へ供給するものであるから、
湯の総量を、好適に量ることができ、適正且つ安全な入浴げでき、好都合である。
又、貯湯槽３の貯湯は介護者が任意に好適に設定した薬液濃度になり、該湯は好適な殺菌が行なえ、要介護者には菌を排除した湯で安全に入浴でき、好都合である。
【０００９】
又、本発明に係る濃度設定器３９は、貯湯槽３の貯湯の薬液濃度を複数個の１つに切り替え設定する切り替えスイッチ４１であり、投入制御器３６は、切り替えスイッチ４１の指示で、前記種類のうちの１つに対応した比率の量の薬液を貯湯槽３へ投入するものであるから、
スイッチ操作の簡単な操作で、複数個の濃度のうちから１つを任意に選択・設定でき、又、その濃度の湯を貯湯槽３で得られ好適に殺菌が行なえ、好都合である。例えば「濃い」「薄い」「切」等の３種類の濃度の１つを任意に設定でき、好都合である。「切」を選択した場合は、薬液は投入されず、濃度０となる。
【発明を実施するための最良の形態】
【００１０】
薬液を浴槽又は貯湯槽に、殺菌能率が良好であるように好適に投入でき、貯湯の薬液濃度を確実に設定できる殺菌式入浴装置を提供するという目的を、「入浴装置２４は、少なくとも浴槽２と入浴装置２４へ湯を供給する給湯部５２を有するものであって、更に、薬液を投入する管路６と、薬液投入器３５と、総量測定器３４と、投入制御器３６と、湯の総量を記憶する記憶器３８と、濃度設定器３９とを付加設置するものであり、前記総量測定器３４は、薬液投入対象の湯の総量を測定するものであり、投入制御器３６は、記憶器３８の出力と、濃度設定器３９の出力とを得てこれらの出力に基づき薬液量を算出し、算出値を投入する薬液量と決め、前記供給の後に前記決めた量の薬液を投入する殺菌式入浴装置」をもって、実現した。
【実施例１】
【００１１】
以下、図面を参照しつつ本発明の実施例１を説明する。
図１乃至図４に本発明の実施例１を示す。
図１は、配管系統図、図２は、扉２７を所定下方位置に移動させた状態の殺菌式入浴装置１を示す正面図、図３は殺菌式入浴装置１の左側面図、図４は殺菌式入浴装置１の平面図である。
【００１２】
図１に示す殺菌式入浴装置１は、入浴装置２４に循環機構４を接続して設けてなる。
入浴装置２４は、少なくとも浴槽２と入浴装置２４へ湯を供給する給湯部５２を有するものであって、更に、薬液を投入する管路６と、薬液投入器３５と、総量測定器３４と、投入制御器３６と、湯の総量を記憶する記憶器３８と、濃度設定器３９とを付加設置するものである。
更に、入浴装置２４は、浴槽２と、貯湯槽３と、浴槽２及び貯湯槽３に接続されて湯を循環させる循環機構４と、貯湯槽３へ新湯を供給する貯湯配管２６で構成される。
循環機構４は、ポンプ１８と、フィルター５と、下流循環バルブ２１と上流循環バルブ２０とが管路６をもって順次接続してなり、循環経路が構成される。
フィルター５に、配管６の循環径路を変更する変更管路７が設けられる。
変更管路７の具体例は排水弁１０である。
【００１３】
変更管路７は、配管６を通っている水によって、フィルター５を洗浄するものである。即ち、配管６に通水中に、該変更管路７の排水弁１０を開けて配管経路を変更すると、配管６を通水している水によって、フィルター５が洗浄される。
貯湯槽３出口から浴槽２の入り口へ至る間に接続される管路６及び往ポンプ３２は、貯湯槽３から浴槽２へ湯を移動させるものである。
浴槽２の出口から貯湯槽３へ至る間に接続される管路６、ポンプ１８及びフィルター５は、浴槽２から貯湯槽３へ既使用の湯を移動させ、循環させるものである。
【００１４】
図１の中に表れる電気的構成のブロック図は、浴槽２、又は貯湯槽３、又は浴槽２及び貯湯槽３の貯湯を循環させるための循環系の電気回路、及び、貯湯槽３に薬液を投入するための薬液系の電気回路である。
循環系電気回路に係る循環スイッチ９（図４参照）は、配管６に貯湯を注ぎ入れ湯を循環を開始させるスイッチである。
循環スイッチ９をオンすると、上流循環バルブ２０が開き、ポンプ１８が駆動し、排水弁タイマー（図示省略）に加電する。
【００１５】
前記排水弁タイマーは、循環スイッチ９がオンした時、循環スイッチ９の指示信号に基づき所定時間を計数するものであり、循環スイッチ９がオンした時点から所定時間（実施例１では５秒間）だけ排水弁１０に通電して該排水弁１０を開け、下流循環バルブ２１に停電して該下流循環バルブ２１を閉じるものである。
この状態下で、浴槽２から配管６を通って来る湯水が排水弁１０から排水されるが、フィルター５を通過する湯水によって該フィルター５が洗浄される。
【００１６】
前記排水弁タイマーは、所定時間を経過した後は、排水弁１０に停電して該排水弁１０を閉じ、下流循環バルブ２０に通電して該下流循環バルブ２０を開ける。この状態下では、浴槽２から流出した湯水は配管６を通って貯湯槽３へ移動する。
貯湯槽３を発端にして浴槽２に移動していた湯水は、貯湯槽３に戻り、循環する。
【００１７】
又、入浴装置２４には、変更管路７から排水される水の量を測る排水流量計３３と、入浴装置２４に新湯を供給する貯湯配管２６とが付加設置される。
変更管路７を通って排水された湯の量と同量の湯を貯湯配管２６から入浴装置２４へ自動で追加供給する。
【００１８】
又、入浴装置２４には、入浴装置２４の貯湯温度を測る温度センサー４４が付加設置される。
入浴装置２４と、薬液を投入する管路６と、薬液投入器３５と、総量測定器３４と、投入制御器３６と、湯の総量を記憶する記憶器３８と、濃度設定器３９とを有するものである。
【００１９】
入浴装置２４は該装置２４に湯を溜め入浴を行なうものである。
投入制御器３６は、入浴装置２４へ湯を供給した後に、湯量に応じて薬液投入量を決め、前記量の薬液を、入浴装置２４へ投入する。
具体的には、投入制御器３６は、前記総量を記憶する記憶器３８の出力と、介護者が予め薬液濃度を設定する濃度設定器３９の出力とを得て、薬液量を算出し、薬液投入器３５を作動するものである。投入制御器３６は、算出した薬液量を薬液を投入する管路６を経由して貯湯槽３へ投入する。
【００２０】
循環機構４は貯湯槽３へ湯を供給するものである。
投入制御器３６は、既使用湯を浴槽２から貯湯槽３へ循環供給した後に、薬液を投入する管路６を経由して貯湯槽３へ投入するものである。
別の実施例では、循環機構４を用いて浴槽２へ供給した湯量に応じて薬液投入量を決め、浴槽２へ湯を供給した後に、前記量の薬液を、浴槽２へ投入する構成も可能である。
【００２１】
貯湯槽３へ供給した湯の総量を量る総量測定器３４は、実施例では、流量計１３と、排水流量計４３と、流量計１３の測定値から排水流量計４３の測定値を減算する計算器５１とから構成する。
総量測定器３４の他の実施例では、貯湯槽３へ設けたセンサースイッチ３１で構成する。
投入制御器３６は、前記総量を記憶する記憶器３８の出力と、介護者が予め薬液濃度を設定する濃度設定器３９の出力とを得て、薬液量を算出し、薬液ポンプ４０を駆動するものである。投入制御器３６は、算出した薬液量を貯湯槽３へ投入する。
【００２２】
濃度設定器３９は、実施例では、貯湯槽３の貯湯の薬液濃度を複数個（実施例では「濃い」「薄い」「切（＝０）」の３種類）のもののうち１つを選択し設定する切り替えスイッチ４１である。
投入制御器３６は、切り替えスイッチ４１の指示で、前記３種類のものに対応した比率の量の薬液を貯湯槽３へ投入するものである。実施例１では、切り替えスイッチ４１に、薬液を投入しない「切」の指示の選択枝もある。
又、投入制御器３６には、最大薬液投入量の限度を設けている。限度値を設定することにより、供給した湯の総量を測定する総量測定器３４が故障した時、高濃度の薬液による事故を防止できる。
限度値（＝上限値）は、浴槽２又は貯湯槽３の満水容量から算出された供給湯の総量の値である。他の例では、貯湯の濃度の上限値である。
投入制御器３６は、薬液投入を停止した後、一定時間経過してから循環機構４が停止するよう循環機構４を制御するものである。この構成によれば、高濃度による薬液による管路６その他の部材の腐食を防止できる。
【００２３】
図４に示す殺菌式入浴装置１全体の外観形状は略直方体状をなしており、殺菌式入浴装置１は、入浴装置２４に循環機構４を設けてなる。
殺菌式入浴装置１は、浴槽２と、貯湯槽３と、該浴槽２の一方長辺側の側面（浴槽２の後面）に併設配置されるとともにポンプ１８及び配管６等からなる循環機構４とを主たる構成要素としている。
貯湯槽３は浴槽２へ供給する湯水を貯湯するものであり、循環機構４を介して浴槽２と連通接続される。
【００２４】
入浴装置２４に係る浴槽２の正面は、開口部４５を有する略直方体状の樹脂製またはステンレス製の容器から構成される。
【００２５】
貯湯槽３は、図３に示すように浴槽２後面側において支持フレーム４６にて支持されている。
浴槽２の開口部４５の前方側には、この開口部４５を水密に閉塞可能とする扉２７が、扉移動手段３０によって、所定上方位置と所定下方位置の区間を往復移動するように設けられている。
【００２６】
即壁面４７に面する側の扉面（後面）に略逆台形状に軟質ゴム素材でなるシール部材４８が貼着されている。
【００２７】
浴槽２の外筐１６に、フィルター５のごみ溜まり状況を目視できるメンテ窓１７が設けられる。
【００２８】
扉移動手段３０は、扉２７を即壁面４７に沿う方向に所定上方位置と所定下方位置の区間において往復移動させるものである。
扉２７と扉移動手段３０を連結するとともに扉移動手段３０によって扉２７が所定上方位置に移動された後、扉２７を開口部４５周縁の即壁面４７に対して略直交方向に押圧移動する。このことによって開口部４５を扉２７で水密に閉塞するものである。
【００２９】
リンク片２９・２９は、移動部材２８の前方側に軸着されている。上下のリンク片２９・２９は、四節平行リンクを形成し扉２７と移動部材２８を連結している。
【００３０】
扉２７が所定下方位置にある時、扉２７後面のシール部材４８と即壁面４７とは接触しておらず、扉２７と即壁面４７とが一定距離を保って互いに平行状に離間している。
【００３１】
図４に示す扉２７が所定下方位置にある時、扉移動手段３０は収縮状態となっている。
前記扉移動手段３０を伸長する方向に作動させると、移動部材２８が上方に移動する。
前述の移動に伴って上下のリンク片２９を介して移動部材２８と連結された扉２７が即壁面４７と一定距離を有する平行状態を保ちながら即壁面４７に沿って上方へ移動することになる。
【００３２】
前記扉２７が所定上方位置に到達した以後も扉移動手段３０の伸長作動は継続する為、移動部材２８は更に上方へ移動を行ない続ける。
即ち、移動部材２８が扉２７に対して相対的に上方へ移動する。この移動部材２８の上方移動により、扉２７全体が即壁面４７に対して直交する方向に押圧移動され、開口部４５が扉２７で水密に閉塞される。
【００３３】
又、扉２７を下方へ移動させるには伸長状態にある扉移動手段３０を収縮する方向に作動させればよい。
扉移動手段３０を収縮作動させると、四節平行リンク４９が作用し扉２７が即壁面４７との平行状態を保ちながら、即壁面４７から一定距離だけ離間する方向へ移動する（閉塞状態が開放され、図２に示す状態に移行する）。
【００３４】
浴槽２の上縁面には、殺菌式入浴装置１の電源スイッチ５０の他、前記扉２７の上方への移動及び下方への移動の開始を指示する扉移動スイッチ１４、貯湯槽３から浴槽２への湯水の貯湯開始を指示する循環スイッチ９、循環停止スイッチ１５、薬液スイッチ１１等の各種スイッチ、浴槽２内の湯温を表示する湯温表示部３７等が装備される操作部１９（図４参照）が設けられている。
【００３５】
次に、実施例１の殺菌式入浴装置１の使用方法について説明する。
扉２７は所定上方位置に移動しており、貯湯槽３内には所定容量の湯水が貯湯された状態にあるものと仮定する。
介護者は電源スイッチ５０をオンにした後、扉移動スイッチ１４を押下し扉２７を所定下方位置にまで移動させ開扉する。
シャワーチェア等の搬送機器（図示省略）に着座した要介護者を開口部４５の近傍位置に導く。
【００３６】
扉２７が所定下方位置にあるとき、扉２７下方面部が上方面部に対して浴槽２後方に位置する傾斜勾配状となるので、扉２７が鉛直上下方向に位置する場合に比して、要介護者或いは介護者が浴槽２により接近した状態で要介護者の補助作業を行えることになる。
【００３７】
要介護度の低い、例えば、要介護度が１の要介護者は、開口部４５から浴槽２の内底面へ自力で移乗する。
また、要介護度が３以上の要介護度が高い要介護者の場合は、介護者の補助を受けながら前記内底面へ移乗すればよい。
【００３８】
この時、扉２７の上面近傍部は内底面の上方へ突出していないので、要介護者の移乗動作や介護者の補助作業の妨げになることはない。
また、床面から内底面前端部までの高さを搬送機器の座面と略同等の高さに設定しているので、要介護者は搬送機器から前記内底面への移乗に著しい労力を伴うことなく、容易に移乗が行える。
【００３９】
要介護者が浴槽１内に完全に入ったことを確認した後、介護者は扉移動スイッチ１４を押下し、扉２７を所定上方位置にまで移動させ閉める。
扉移動手段３０によって扉２７が所定上方位置に至った後、扉２７は即壁面４７に対して略直交する方向に押圧移動し開口部４５を水密に閉塞する。
介護者は扉移動スイッチ１４を押下するという極めて容易な操作のみで開口部４５を水密に閉塞でき、介護者の扉移動に係る操作負担は極めて少ないものである。
【００４０】
循環給湯スイッチ２２を押下し、給湯する。即ち、往ポンプ３２の作動を開始し貯湯槽３内に予め貯湯している湯水を浴槽２へ供給移動する。
浴槽２内の上方に設けられるセンサースイッチ３１がオンとなると自動的に湯水の供給移動が停止される。
要介護者は入浴する。
暫時後、要介護者を退浴の準備をする。その場合は、循環スイッチ９を押し、浴槽２内の湯水を貯湯槽３へ移動させる。浴槽２内の湯水を空にする。
【００４１】
浴槽２の湯を貯湯槽３へ移動循環させる循環機構４の作用は、循環スイッチ９を押すと、前記排水弁タイマーと上流循環バルブ２０とポンプ１８とが作動する。
変更管路７が開き、下流循環バルブ２１が閉まる。
配管経路が、循環経路から洗浄経路に変更される。該変更した配管６を流通する湯でフィルター５を洗浄する。
【００４２】
詳しくは、循環スイッチ９からの指示信号で、排水弁１０は、前記排水弁タイマーで設定した所定時間開くと共に、下流循環バルブ２１は、前記排水弁タイマーで設定した所定時間閉まり、湯が遠心濾過機能付フィルター８から排水弁１０へ流通する時、この湯で遠心濾過機能付フィルター８が洗浄される。
所定時間が経過すると、前記排水弁タイマーの作用により、所定時間を経過した後は、排水弁１０に停電して該排水弁１０を閉じ、下流循環バルブ２０に通電して該下流循環バルブ２０を開ける。
この状態下では、浴槽２から流出した湯水は配管６を通って貯湯槽３へ移動する。
貯湯槽３を発端にして浴槽２に移動していた湯水は、浴槽２から貯湯槽３に戻り、循環する。
【００４３】
循環機構４を用いて貯湯槽３へ供給した湯量に応じて、投入制御器３６は、薬液投入量を決める。
貯湯槽３へ湯を供給した後であって、次の要介護者が入浴する直前に、薬液スイッチ１１を押し、貯湯槽３へ前記の決めた量の薬液を投入する。
別の実施例として、投入制御器３６は、往ポンプ３２を用いて浴槽２へ供給した湯量に応じて薬液投入量を決め、浴槽２へ湯を供給した後に、浴槽２へ前記の決めた量の薬液を、投入する構成も可能である。
使用日の最初の回には、貯湯槽３には新湯が入っている。この新湯には薬液は入っていない。最初の回の入浴ではその新湯を浴槽２へ移動し使用する。２回目の入浴から薬液を入れた貯湯を入浴に使用する。
【００４４】
前記投入制御器３６は、既使用湯を浴槽２から貯湯槽３へ循環供給した後に、薬液を貯湯槽３へ投入する。次に入浴する要介護者のためにその者の入浴の前に貯湯を殺菌し良好な湯にする。
総量測定器３４の具体的構成部材の流量計３７は、貯湯槽３へ循環供給した湯の総量を量る。計算器５１で流量計３７の出力値から排水流量計４３の出力値を減算する。記憶器３８前記総量を記憶する。
投入制御器３６は、前記記憶器３８の出力と、介護者が予め薬液濃度を設定した濃度設定器３９の出力とを得て、薬液量を算出し、薬液ポンプ４０を駆動する。
【００４５】
濃度設定器３９の具体例である切り替えスイッチ４１は、貯湯槽３の貯湯の複数個の薬液濃度（具体例では「濃い」「薄い」「切」の３種類のもの）の１つを選択し設定する。
投入制御器３６は、切り替えスイッチ４１の指示で、前記複数個の濃度に対応した比率の量の薬液を貯湯槽３へ投入する。
例えば、切り替えスイッチ４１を「濃い」に設定すると、「濃い」に対応した濃度（２PPM）になるように算出した薬液量が貯湯槽３に入る。
切り替えスイッチ４１を「薄い」に設定すると、「薄い」に対応した濃度（１ＰＰＭ）になるように算出した薬液量が貯湯槽３に入る。
切り替えスイッチ４１を「切」に設定すると、薬液ポンプ４０は駆動せず、薬液は貯湯槽３に入らない。
上記の３種類の設定の結果、貯湯槽３の貯湯の薬液濃度は、「濃い」「薄い」「切」の３種類のうちの選択設定したいずれか１の濃度に至る。
【００４６】
又、入浴装置２４の外筐１６に設けたメンテ窓１７から、フィルター５のごみ溜まり状況を目視する。フィルター５にごみが溜まったのを確認すると、フィルター５の取り出し、洗浄、交換、或いはその他の適宜なメンテナンスを行なう。
【００４７】
又、変更管路７を通って排水された湯の量と同量の湯を、貯湯配管２６から入浴装置２４へ自動で追加供給し、一定湯量を保持する。
【００４８】
浴槽２に設けられる下位のセンサースイッチ３１が浴槽２内へ残水がない旨を検知した後、扉２７の下方移動が開始される。
【００４９】
要介護者は自力、または介護者の補助を受けながら退浴し、搬送機器に移乗し、入浴を完了する。
【産業上の利用可能性】
【００５０】
本発明に係る入浴装置２４は、少なくとも浴槽２と入浴装置２４へ湯を供給する給湯部５２を有するものであって、更に、薬液を投入する管路６と、薬液投入器３５と、総量測定器３４と、投入制御器３６と、湯の総量を記憶する記憶器３８と、濃度設定器３９とを付加設置するものであり、前記総量測定器３４は、薬液投入対象の湯の総量を測定するものであり、投入制御器３６は、記憶器３８の出力と、濃度設定器３９の出力とを得てこれらの出力に基づき薬液量を算出し、算出値を投入する薬液量と決め、前記供給の後に前記決めた量の薬液を投入する殺菌式入浴装置に適用できる。
尚、本発明は、図２乃至４に示す浴槽に限定されるものではなく、車椅子用入浴装置、昇降浴槽式入浴装置、その他の入浴装置にも実施できる。
【図面の簡単な説明】
【００５１】
【図１】本発明の実施例１の配管系統図である。
【図２】本発明の実施１の正面図である。
【図３】本発明の実施１の左側面図である。
【図４】本発明の実施１の平面図である。
【符号の説明】
【００５２】
１    殺菌式入浴装置
２    浴槽
３    貯湯槽
４    循環機構
６    配管
１３    流量計
２４    入浴装置
３４    総量測定器
３５    薬液投入器
３６    投入制御器
３８    記憶器
３９    濃度設定器
４０    薬液ポンプ
４１    切り替えスイッチ
４３    排水流量計
５２    給湯部
【図１】
2010069247.tif 000003
【図２】
2010069247.tif 000004
【図３】
2010069247.tif 000005
【図４】
2010069247.tif 000006